(57)【要約】【課題】製造コストを削減できる電磁誘導加熱調理器を提供することを目的とする。【解決手段】電磁誘導加熱調理器１は、誘導加熱コイル１４と、誘導加熱コイル１４の下方に設けられたグリルユニット２０と、少なくとも誘導加熱コイル１４を冷却する空気を送風する送風ファン３４と、空気の流れにおいて送風ファン３４の上流側に配置され、外部から吸入した空気を送風ファン３４に誘導する風路ユニット３０と、を備え、風路ユニット３０は、グリルユニット２０の少なくとも２面に沿って設けられているものである。【選択図】図１
2016186836.tif 000002
【特許請求の範囲】
【請求項１】
誘導加熱コイルと、
前記誘導加熱コイルの下方に設けられたグリルユニットと、
少なくとも前記誘導加熱コイルを冷却する空気を送風する送風ファンと、
空気の流れにおいて前記送風ファンの上流側に配置され、外部から吸入した空気を前記送風ファンに誘導する風路ユニットと、
を備え、
前記風路ユニットは、前記グリルユニットの少なくとも２面に沿って設けられている電磁誘導加熱調理器。
【請求項２】
前記風路ユニットは、前記グリルユニットに沿った内周壁と、前記内周壁よりも外周側に設けられた外周壁と、を有しており、
前記風路ユニットの少なくとも２面の前記外周壁には、外部から空気を吸入する吸気口がそれぞれ形成されている請求項１に記載の電磁誘導加熱調理器。
【請求項３】
前記グリルユニットは、左右方向の幅寸法が前後方向の奥行寸法よりも長い形状を有しており、
前記風路ユニットは、平面視でＵ字状の形状を有し、前記グリルユニットの背面及び両側面に沿って設けられており、
前記送風ファンは、前記グリルユニットの後方に設けられている請求項１又は２に記載の電磁誘導加熱調理器。
【請求項４】
前記グリルユニットは、前後方向の奥行寸法が左右方向の幅寸法よりも長い形状を有しており、
前記風路ユニットは、平面視でＵ字状の形状を有し、前記グリルユニットの背面及び両側面に沿って設けられており、
前記送風ファンは、前記グリルユニットの側方に設けられている請求項１又は２に記載の電磁誘導加熱調理器。
【請求項５】
前記風路ユニットは、平面視でＬ字状の形状を有し、前記グリルユニットの背面及び一側面に沿って設けられている請求項１又は２に記載の電磁誘導加熱調理器。
【請求項６】
前記風路ユニットは、上下対称の形状を有している請求項５に記載の電磁誘導加熱調理器。
【発明の詳細な説明】
【技術分野】
【０００１】
本発明は、誘導加熱コイル及びグリルユニットを備えた電磁誘導加熱調理器に関するものである。
【背景技術】
【０００２】
特許文献１には、電磁調理器が記載されている。この電磁調理器は、グリルユニットと、グリルユニットの上方に配置されたコイルユニットと、を有している。グリルユニットの周囲には、グリルユニットからの輻射熱を遮断する遮熱板が設けられている。
【先行技術文献】
【特許文献】
【０００３】
【特許文献１】特開２０１０−３６３８号公報
【発明の概要】
【発明が解決しようとする課題】
【０００４】
しかしながら、特許文献１の電磁調理器では、遮熱板等の断熱構造をグリルユニットの全周に亘って設ける必要がある。したがって、電磁調理器の製造コストが増加してしまうという問題点があった。
【０００５】
本発明は、上述のような問題点を解決するためになされたものであり、製造コストを削減できる電磁誘導加熱調理器を提供することを目的とする。
【課題を解決するための手段】
【０００６】
本発明に係る電磁誘導加熱調理器は、誘導加熱コイルと、前記誘導加熱コイルの下方に設けられたグリルユニットと、少なくとも前記誘導加熱コイルを冷却する空気を送風する送風ファンと、空気の流れにおいて前記送風ファンの上流側に配置され、外部から吸入した空気を前記送風ファンに誘導する風路ユニットと、を備え、前記風路ユニットは、前記グリルユニットの少なくとも２面に沿って設けられているものである。
【発明の効果】
【０００７】
本発明によれば、風路ユニットによってグリルユニットを少なくとも２方向から囲むことができるため、グリルユニットから周囲への熱の伝達を防ぐための断熱構造を簡素化することができる。したがって、電磁誘導加熱調理器の製造コストを削減することができる。
【図面の簡単な説明】
【０００８】
【図１】本発明の実施の形態１に係る電磁誘導加熱調理器１の全体構成を示す斜視図である。
【図２】本発明の実施の形態１に係る電磁誘導加熱調理器１におけるグリルユニット２０及び風路ユニット３０の配置の第１変形例を示す上面図である。
【図３】本発明の実施の形態１に係る電磁誘導加熱調理器１におけるグリルユニット２０及び風路ユニット３０の配置の第２変形例を示す上面図である。
【図４】本発明の実施の形態１に係る電磁誘導加熱調理器１におけるグリルユニット２０及び風路ユニット３０の配置の第３変形例を示す上面図である。
【図５】図４のＶ−Ｖ断面を示す断面図である。
【図６】本発明の実施の形態１に係る電磁誘導加熱調理器１におけるグリルユニット２０及び風路ユニット３０の配置の第４変形例を示す上面図である。
【発明を実施するための形態】
【０００９】
実施の形態１．
本発明の実施の形態１に係る電磁誘導加熱調理器について説明する。図１は、本実施の形態に係る電磁誘導加熱調理器１の全体構成を示す斜視図である。図１において、左下方向は電磁誘導加熱調理器１の手前側（使用者側）を表しており、右上方向は電磁誘導加熱調理器１の奥側（背面側）を表している。なお、図１を含む以下の図面では、各構成部材の寸法の関係や形状等が実際のものとは異なる場合がある。また、以下の説明における各構成部材同士の位置関係（例えば、上下関係等）や方向（例えば、上方又は下方等）は、原則として、電磁誘導加熱調理器１を使用可能な状態に設置したときのものである。
【００１０】
図１に示すように、電磁誘導加熱調理器１は、調理器本体１０と、調理器本体１０の上面に設けられたトッププレート１１と、を有している。トッププレート１１の手前側には、調理状態等を表示する表示部１２が設けられている。表示部１２は、使用者の操作を受け付ける操作部を兼ねていてもよい。トッププレート１１の奥側には、調理器本体１０の排気口を覆う排気口カバー１３が設けられている。
【００１１】
調理器本体１０内においてトッププレート１１の下方には、トッププレート１１上に載置された被加熱物を加熱する２つの誘導加熱コイル１４が左右方向に並列して設けられている。誘導加熱コイル１４の下方には、誘導加熱コイル１４を冷却する空気を流通させるコイル冷却用ダクト（図示せず）が設けられている。また、調理器本体１０内には、誘導加熱コイル１４等を駆動する電子回路が実装された電子回路基板（図示せず）が設けられている。電子回路基板は、例えば基板ケース内に収容されている。
【００１２】
調理器本体１０内において誘導加熱コイル１４の下方には、直方体形状のグリルユニット２０が設けられている。グリルユニット２０は、前面が開口されて内部にヒータを備えたケーシングと、ケーシングの前面開口を開閉するグリル扉２１と、を有している。
【００１３】
調理器本体１０内においてグリルユニット２０の周囲には、風路ユニット３０が設けられている。風路ユニット３０は、平面視でＵ字状の形状を有している。風路ユニット３０は、グリルユニット２０の外周のうち左側面、背面及び右側面の３面（本例では、３面のそれぞれ全域）に沿って設けられており、グリルユニット２０を３方向から囲んでいる。風路ユニット３０は、例えば調理器本体１０の最外周部に配置されている。
【００１４】
風路ユニット３０は、誘導加熱コイル１４及び電子回路基板を冷却する空気を流通させる風路の一部を構成している。風路ユニット３０は、空気の流れにおいて、後述する送風ファン３４の上流側に配置されている。すなわち、風路ユニット３０は、外部から吸入した空気を送風ファン３４に誘導する吸気風路を構成する。
【００１５】
風路ユニット３０は、グリルユニット２０の各表面に沿った内周壁と、内周壁よりも外周側に設けられた外周壁と、を有している。外周壁には、前面壁３０ａ、３０ｂ、背面壁３０ｃ、左側面壁３０ｄ及び右側面壁３０ｅが少なくとも含まれる。内周壁には、後述する図２等に示すように、グリルユニット２０の左側面に沿った内周壁３０ｈ、グリルユニット２０の背面に沿った内周壁３０ｉ、及びグリルユニット２０の右側面に沿った内周壁３０ｊが含まれる。
【００１６】
風路ユニット３０の左側の前面壁３０ａには、吸気口３１が設けられている。風路ユニット３０の右側の前面壁３０ｂには、吸気口３２が設けられている。風路ユニット３０の背面壁３０ｃには、吸気口３３が設けられている。これらの吸気口３１、３２、３３は、電磁誘導加熱調理器１の外部の空気を風路ユニット３０内に吸入するものである。吸気口３１、３２は例えば複数の長孔により構成されており、吸気口３３は例えば複数の小孔により構成されている。吸気口３１、３２、３３に加えて、又は吸気口３１、３２、３３のいずれかに代えて、風路ユニット３０の左側面壁３０ｄ及び右側面壁３０ｅに吸気口が設けられていてもよい。ただし、吸気口は、風路ユニット３０の少なくとも２面以上に設けるのが望ましい。
【００１７】
風路ユニット３０の内周壁と外周壁との間には、空気層が形成される。このため、風路ユニット３０は、グリルユニット２０から周囲への熱の伝達を防ぐ断熱部としても機能する。本例では、風路ユニット３０の内部は空洞である。すなわち、風路ユニット３０内には実質的に何も収容されていない。
【００１８】
グリルユニット２０の左方において風路ユニット３０上には、誘導加熱コイル１４及び電子回路基板を冷却する空気を送風する送風ファン３４が設けられている。送風ファン３４は、例えば、上下方向に延伸した回転軸を有するシロッコファンと、シロッコファンを駆動するモータと、シロッコファン及びモータを収容するファンケースと、を有している。本例の送風ファン３４は、図１中の矢印で示すように、風路ユニット３０を介して供給される外部の空気を回転軸方向の下方から吸い込み、吸い込んだ空気を冷却風として水平面内の一方向（シロッコファンの回転軌跡の接線方向）に吹き出すようになっている。また、本例の送風ファン３４は、グリルユニット２０の左方に設けられている。
【００１９】
送風ファン３４が駆動すると、電磁誘導加熱調理器１の外部の空気が吸気口３１、３２、３３から吸い込まれ、風路ユニット３０を介して送風ファン３４に供給される。送風ファン３４から送風された空気は、調理器本体１０内の基板ケース及びコイル冷却用ダクトを流通して電子回路基板及び誘導加熱コイル１４を冷却し、排気口カバー１３を介して外部に排気される。
【００２０】
図２は、本実施の形態に係る電磁誘導加熱調理器１におけるグリルユニット２０及び風路ユニット３０の配置の第１変形例を示す上面図である。図２及び後述する図３〜図５における下方は、電磁誘導加熱調理器１の手前側を表している。図２に示すように、本変形例のグリルユニット２０は、左右方向の幅寸法が前後方向（図２中の上下方向）の奥行寸法よりも長い横置き型である。グリルユニット２０は、電磁誘導加熱調理器１の左右方向中央部に配置されている。風路ユニット３０は、グリルユニット２０の外周のうち左側面、背面及び右側面の３面に沿って設けられており、グリルユニット２０を３方向から囲んでいる。図示を省略しているが、吸気口は、例えば、風路ユニット３０の前面壁３０ａ、３０ｂ、背面壁３０ｃ、左側面壁３０ｄ及び右側面壁３０ｅに設けられている。
【００２１】
図２に示すような横置き型のグリルユニット２０を備えた電磁誘導加熱調理器１では、グリルユニット２０の側方の空間よりもグリルユニット２０の後方の空間に余裕があることが多い。このため、本変形例では、送風ファン３４がグリルユニット２０の後方に配置されている。これにより、電磁誘導加熱調理器１内の空間を有効に利用することができる。
【００２２】
図３は、本実施の形態に係る電磁誘導加熱調理器１におけるグリルユニット２０及び風路ユニット３０の配置の第２変形例を示す上面図である。図３に示すように、本変形例のグリルユニット２０は、奥行寸法が幅寸法よりも長い縦置き型である。グリルユニット２０は、電磁誘導加熱調理器１の左右方向中央部に配置されている。風路ユニット３０は、グリルユニット２０の外周のうち左側面、背面及び右側面の３面に沿って設けられており、グリルユニット２０を３方向から囲んでいる。吸気口は、例えば、風路ユニット３０の前面壁３０ａ、３０ｂ、背面壁３０ｃ、左側面壁３０ｄ及び右側面壁３０ｅに設けられている。
【００２３】
図３に示すような縦置き型のグリルユニット２０を備えた電磁誘導加熱調理器１では、グリルユニット２０の後方の空間よりもグリルユニット２０の側方の空間に余裕があることが多い。このため、本変形例では、送風ファン３４がグリルユニット２０の左側方に配置されている。これにより、電磁誘導加熱調理器１内の空間を有効に利用することができる。
【００２４】
図４は、本実施の形態に係る電磁誘導加熱調理器１におけるグリルユニット２０及び風路ユニット３０の配置の第３変形例を示す上面図である。図４に示すように、本変形例のグリルユニット２０は横置き型である。グリルユニット２０は、電磁誘導加熱調理器１の左右方向において右寄りに設けられている。風路ユニット３０は、平面視でＬ字状の形状を有している。風路ユニット３０は、グリルユニット２０の外周のうち互いに隣り合う２面（本例では、左側面及び背面）に沿って設けられており、グリルユニット２０を２方向から囲んでいる。風路ユニット３０は、外周壁として、前面壁３０ａ、背面壁３０ｃ、左側面壁３０ｄ及び右側面壁３０ｅを少なくとも有している。吸気口は、例えば、風路ユニット３０の前面壁３０ａ、背面壁３０ｃ、左側面壁３０ｄ及び右側面壁３０ｅに設けられている。送風ファン３４は、グリルユニット２０の左奥に位置する風路ユニット３０の角部上に配置されている。
【００２５】
図５は、図４のＶ−Ｖ断面を示す断面図である。図５に示すように、本変形例の風路ユニット３０は、上下対称の形状を有している。風路ユニット３０の上面壁３０ｆには、送風ファン３４の吸入口３４ａに接続される開口部３５ａが形成されている。風路ユニット３０の下面壁３０ｇには、開口部３５ａと上下対称となる開口部３５ｂが形成されている。開口部３５ｂは、閉塞部材３６によって塞がれている。
【００２６】
図６は、本実施の形態に係る電磁誘導加熱調理器１におけるグリルユニット２０及び風路ユニット３０の配置の第４変形例を示す上面図である。図６に示すように、本変形例のグリルユニット２０は、電磁誘導加熱調理器１の左右方向において左寄りに設けられている。風路ユニット３０は、平面視でＬ字状の形状を有している。風路ユニット３０は、グリルユニット２０の外周のうち互いに隣り合う２面（本例では、右側面及び背面）に沿って設けられており、グリルユニット２０を２方向から囲んでいる。風路ユニット３０は、外周壁として、前面壁３０ｂ、背面壁３０ｃ、左側面壁３０ｄ及び右側面壁３０ｅを少なくとも有している。吸気口は、例えば、風路ユニット３０の前面壁３０ｂ、背面壁３０ｃ、左側面壁３０ｄ及び右側面壁３０ｅに設けられている。送風ファン３４は、グリルユニット２０の右奥に位置する風路ユニット３０の角部上に配置されている。
【００２７】
本変形例の風路ユニット３０は、図４及び図５に示した第３変形例の風路ユニット３０の天地を反転させたものである。すなわち、本変形例の前面壁３０ｂ、左側面壁３０ｄ及び右側面壁３０ｅは、それぞれ第３変形例の前面壁３０ａ、右側面壁３０ｅ及び左側面壁３０ｄに対応している。また、本変形例では、開口部３５ａは閉塞部材３６で塞がれており、開口部３５ｂは送風ファン３４の吸入口３４ａに接続されている。
【００２８】
第３変形例及び第４変形例では、風路ユニット３０の構造を共通化することができる。これにより、電磁誘導加熱調理器１において、グリルユニット２０が右寄りに設けられるオプションと、グリルユニット２０が左寄りに設けられるオプションと、をコストの増加を抑えつつ設定することが可能となる。したがって、使用者（購入者）の要望に応じた使い勝手のよい電磁誘導加熱調理器１を低コストで実現できる。
【００２９】
以上説明したように、本実施の形態に係る電磁誘導加熱調理器１は、誘導加熱コイル１４と、誘導加熱コイル１４の下方に設けられたグリルユニット２０と、少なくとも誘導加熱コイル１４を冷却する空気を送風する送風ファン３４と、空気の流れにおいて送風ファン３４の上流側に配置され、外部から吸入した空気を送風ファン３４に誘導する風路ユニット３０と、を備え、風路ユニット３０は、グリルユニット２０の少なくとも２面（本例では、２面又は３面）に沿って設けられているものである。
【００３０】
この構成によれば、断熱部として機能する風路ユニット３０によってグリルユニット２０を少なくとも２方向から囲むことができる。これにより、グリルユニット２０から周囲への熱の伝達を防ぐための断熱構造を、少なくとも２方向で省略又は簡素化することができる。したがって、誘導加熱調理器の製造コストを削減することができる。
【００３１】
また、本実施の形態に係る電磁誘導加熱調理器１において、風路ユニット３０は、グリルユニット２０に沿った内周壁３０ｈ、３０ｉ、３０ｊと、内周壁３０ｈ、３０ｉ、３０ｊよりも外周側に設けられた外周壁（本例では、前面壁３０ａ、３０ｂ、背面壁３０ｃ、左側面壁３０ｄ、右側面壁３０ｅ、上面壁３０ｆ、下面壁３０ｇ）と、を有しており、風路ユニット３０の少なくとも２面の外周壁（例えば、互いに異なる面に設けられた外周壁）には、外部から空気を吸入する吸気口３１、３２、３３がそれぞれ形成されていてもよい。
【００３２】
この構成によれば、目詰まりや他の部材との接触により一部の吸気口が塞がれたとしても、他の吸気口を介して外部の空気を吸入することができ、必要な吸気風量を確保することができる。したがって、送風ファン３４による誘導加熱コイル１４及び電子回路基板の冷却性能の低下を防ぐことができる。
【００３３】
また、本実施の形態に係る電磁誘導加熱調理器１において、グリルユニット２０は、左右方向の幅寸法が前後方向の奥行寸法よりも長い形状を有しており、風路ユニット３０は、平面視でＵ字状の形状を有し、グリルユニット２０の背面及び両側面に沿って設けられており、送風ファン３４は、グリルユニット２０の後方に設けられていてもよい。
【００３４】
この構成によれば、風路ユニット３０によってグリルユニット２０を３方向から囲むことができるため、グリルユニット２０の断熱構造を３方向に亘って省略又は簡素化することができる。また、この構成によれば、空間に余裕のあるグリルユニット２０の後方に送風ファン３４を設けることができるため、電磁誘導加熱調理器１内の空間を有効に利用できる。したがって、電磁誘導加熱調理器１の小型化を図ることができる。
【００３５】
また、本実施の形態に係る電磁誘導加熱調理器１において、グリルユニット２０は、前後方向の奥行寸法が左右方向の幅寸法よりも長い形状を有しており、風路ユニット３０は、平面視でＵ字状の形状を有し、グリルユニット２０の背面及び両側面に沿って設けられており、送風ファン３４は、グリルユニット２０の側方に設けられていてもよい。
【００３６】
この構成によれば、風路ユニット３０によってグリルユニット２０を３方向から囲むことができるため、グリルユニット２０の断熱構造を３方向に亘って省略又は簡素化することができる。また、この構成によれば、空間に余裕のあるグリルユニット２０の側方に送風ファン３４を設けることができるため、電磁誘導加熱調理器１内の空間を有効に利用できる。したがって、電磁誘導加熱調理器１の小型化を図ることができる。
【００３７】
また、本実施の形態に係る電磁誘導加熱調理器１において、風路ユニット３０は、平面視でＬ字状の形状を有し、グリルユニット２０の背面及び一側面に沿って設けられていてもよい。
【００３８】
この構成によれば、グリルユニット２０が左寄り又は右寄りに配置された電磁誘導加熱調理器１においても、風路ユニット３０によってグリルユニット２０を２方向から囲むことができる。これにより、グリルユニット２０の断熱構造を２方向に亘って省略又は簡素化することができる。
【００３９】
また、本実施の形態に係る電磁誘導加熱調理器１において、風路ユニット３０は、上下対称の形状を有していてもよい。
【００４０】
この構成によれば、グリルユニット２０が左寄りに配置された電磁誘導加熱調理器１と、グリルユニット２０が右寄りに配置された電磁誘導加熱調理器１とで、風路ユニット３０の構造を共通化することができる。したがって、使用者（購入者）の要望に応じた使い勝手のよい電磁誘導加熱調理器１を低コストで実現できる。
【００４１】
その他の実施の形態．
本発明は、上記実施の形態に限らず種々の変形が可能である。
例えば、上記実施の形態では、グリルユニット２０の左側面、背面及び右側面のうちの少なくとも２面に沿って設けられた風路ユニット３０を例に挙げたが、風路ユニット３０は、グリルユニット２０の上面、下面又は前面に沿って設けられていてもよい。すなわち、風路ユニット３０は、グリルユニット２０の前面、左側面、背面、右側面、上面及び下面のうちの少なくとも２面に沿って設けられていてもよい。
【００４２】
また、上記実施の形態では、風路ユニット３０がグリルユニット２０の各面のそれぞれ全域に沿って設けられているが、風路ユニット３０は、グリルユニット２０の各面のそれぞれ一部に沿って設けられていてもよい。
【００４３】
また、上記の実施の形態や変形例は、互いに組み合わせて実施することが可能である。
【符号の説明】
【００４４】
１  電磁誘導加熱調理器、１０  調理器本体、１１  トッププレート、１２  表示部、１３  排気口カバー、１４  誘導加熱コイル、２０  グリルユニット、２１  グリル扉、３０  風路ユニット、３０ａ、３０ｂ  前面壁、３０ｃ  背面壁、３０ｄ  左側面壁、３０ｅ  右側面壁、３０ｆ  上面壁、３０ｇ  下面壁、３０ｈ、３０ｉ、３０ｊ  内周壁、３１、３２、３３  吸気口、３４  送風ファン、３４ａ  吸入口、３５ａ、３５ｂ  開口部、３６  閉塞部材。
【図１】
2016186836.tif 000003
【図２】
2016186836.tif 000004
【図３】
2016186836.tif 000005
【図４】
2016186836.tif 000006
【図５】
2016186836.tif 000007
【図６】
2016186836.tif 000008